(57)【特許請求の範囲】
【請求項１】
正逆回動可能な回動操作部と、該回動操作部の回動変位量を電気的な信号に変換する変換手段とを備える発射装置の発射力を強弱操作するための発射装置操作ハンドルを装備した弾球遊技機において、
下受皿を支持するプラスチック製の下部前板の裏面側に取り付けられた裏板と、
前記下部前板と裏板とを共通に貫通する貫通穴と、
前記下部前板と一体成形されており、前記下部前板の前面から半円状に突出した挿通部、前記挿通部の内部に形成され後端は前記貫通穴に連通し前端は前記挿通部の前面側に揺動口として開口する空洞、及び前記挿通部の上下に突出する軸受部が設けられている軸保持部と、
複数箇所の凹部とそれらの間の山部とを備え、前記凹部を前記貫通穴に向き合わせて前記裏板の裏側に配されたラッチばねと
を弾球遊技機本体に備え、
前記発射装置操作ハンドルには、
前記回動操作部を保持する握部と、
先端から突出するラッチ用突起が設けられ基端側を前記握部に連結された連結部と、
前記回動操作部と前記ラッチ用突起との間になる位置で前記連結部に固着される一対の揺動軸と
を備え、
前記連結部を前記空洞及び前記貫通穴に挿通し、前記ラッチ用突起の先端を前記ラッチばねの凹部のいずれかにはまりこませ、前記揺動軸を、その軸方向を弾球遊技機の上下方向に沿わせて、前記軸受部に回動自在に保持させて前記連結部に固着することで前記発射装置操作ハンドルを弾球遊技機本体に装着し、
前記発射装置操作ハンドルを前記揺動軸を中心にして揺動させることにより、前記ラッチばねを弾性変形させて前記ラッチ用突起の先端がはまりこむ前記ラッチばねの凹部を変更し、前記回動操作部の芯と弾球遊技機本体との交差角度を変更可能とした
ことを特徴とする弾球遊技機。
【発明の詳細な説明】
【０００１】
【発明の属する技術分野】
本発明は、弾球遊技機の発射装置の発射力を強弱操作するための発射装置操作ハンドルに関する。
【０００２】
【従来の技術】
例えばパチンコ機やアレンジボール式パチンコ機等の弾球遊技機は、遊技球を遊技盤面に向けて発射するための発射装置および発射装置の発射力を強弱操作するための発射装置操作ハンドルを備えている。
【０００３】
従来、発射装置操作ハンドルの回動操作部の芯と弾球遊技機本体（弾球遊技機の前面）との交差角度はほぼ直角に固定されていた。
【０００４】
【発明が解決しようとする課題】
ところで、普通、遊技店では弾球遊技機と椅子とが対になって設置されていて、遊技者は椅子に座って遊技を行うのであるが、椅子と弾球遊技機との相対位置すなわち椅子と発射装置操作ハンドルとの相対位置がほぼ固定されており、また各遊技者の体格や体型には違いがあるため、人によっては発射装置操作ハンドルを操作しにくかったり、そうでなくても長時間にわたって発射装置操作ハンドルを操作し続けると手や腕が疲労することもあった。
【０００５】
本発明は、発射装置操作ハンドルの操作性を高め、併せて遊技者の疲労の軽減を図ることを目的としている。
【０００６】
【課題を解決するための手段および発明の効果】
上記課題を解決するための手段として、請求項１記載の弾球遊技機は、
正逆回動可能な回動操作部と、該回動操作部の回動変位量を電気的な信号に変換する変換手段とを備える発射装置の発射力を強弱操作するための発射装置操作ハンドルを装備した弾球遊技機において、
下受皿を支持するプラスチック製の下部前板の裏面側に取り付けられた裏板と、
前記下部前板と裏板とを共通に貫通する貫通穴と、
前記下部前板と一体成形されており、前記下部前板の前面から半円状に突出した挿通部、前記挿通部の内部に形成され後端は前記貫通穴に連通し前端は前記挿通部の前面側に揺動口として開口する空洞、及び前記挿通部の上下に突出する軸受部が設けられている軸保持部と、
複数箇所の凹部とそれらの間の山部とを備え、前記凹部を前記貫通穴に向き合わせて前記裏板の裏側に配されたラッチばねと
を弾球遊技機本体に備え、
前記発射装置操作ハンドルには、
前記回動操作部を保持する握部と、
先端から突出するラッチ用突起が設けられ基端側を前記握部に連結された連結部と、
前記回動操作部と前記ラッチ用突起との間になる位置で前記連結部に固着される一対の揺動軸と
を備え、
前記連結部を前記空洞及び前記貫通穴に挿通し、前記ラッチ用突起の先端を前記ラッチばねの凹部のいずれかにはまりこませ、前記揺動軸を、その軸方向を弾球遊技機の上下方向に沿わせて、前記軸受部に回動自在に保持させて前記連結部に固着することで前記発射装置操作ハンドルを弾球遊技機本体に装着し、
前記発射装置操作ハンドルを前記揺動軸を中心にして揺動させることにより、前記ラッチばねを弾性変形させて前記ラッチ用突起の先端がはまりこむ前記ラッチばねの凹部を変更し、前記回動操作部の芯と弾球遊技機本体との交差角度を変更可能としたので、遊技者は、自分に適した交差角度を選択して回動操作部を保持、操作できる。よって、操作し易くなり、遊技者の疲労も軽減される。発射装置操作ハンドルを揺動軸を中心にして揺動させるには、遊技者が例えば握部を持ってこれを揺動させるべく力を加えればよく、交差角度変更のための操作も簡単である。
なお、回動操作部の構造は公知の構造と同様でよく、変換手段は例えば公知の可変抵抗を使用すればよい。
【００１５】
【発明の実施の形態】
次に、本発明の実施例を図面を参照して説明することにより、発明の実施の形態を具体的に説明する。
【００１６】
【実施例】
図１に示すように、本実施例の発射装置操作ハンドル（以下、単に操作ハンドルという）１０は、弾球遊技機１００の前面枠１０１の一部であって下受皿１０２を支持するプラスチック製の下部前板１２によって保持されている。詳しくは後述するが、操作ハンドル１０は、下部前板１２と一体化されている。
【００１７】
図２〜図５に示すように、下部前板１２の裏面側には補強も兼ねる裏板１３が取り付けられており、操作ハンドル１０の軸保持部材１４およびラッチばね保持部材１６は、下部前板１２と裏板１３とを共通に貫通する貫通穴２４を挟むようにして配されている。なお、軸保持部１４は下部前板１２と一体成形されておりラッチばね保持部材１６は裏板１３に接着されている。
【００１８】
軸保持部材１４は、半円状の挿通部１８とその上下に突出する軸受部２０とを備えている。この挿通部１８の内部には貫通穴２４に連通する空洞２２が形成されており、挿通部１８の前面側には貫通穴２４に連通する揺動口２５が開口している。
【００１９】
ラッチばね保持部材１６は、下部前板１２に固着された一対の支持脚２６、これら支持脚２６に連接され貫通穴２４に対面する背部２８、背部２８に立設された２本のビス保持部３０からなり、背部２８には突起揺動口２９が設けられている。また、ラッチばね保持部材１６の上下は開放されて、略コの字状である。そして、ビス保持部３０には、２箇所の凹部３２ａ、３２ｂとそれらの間の山部３４とを備えるラッチばね３６がビス止めされている。
【００２０】
これら挿通部１８、貫通穴２４、ラッチばね保持部材１６を、ハンドル本体４０が貫通している。
ハンドル本体４０は、半球状の握部４２、握部４２に保持される回動操作部４４、握部４２に連接する連結部４６、連結部４６の先端から突出するラッチ用突起４８からなっている。なお、回動操作部４４は、芯Ｃを中心として回動可能であり（図４参照）、その回動に伴って握部４２内に取り付けられている可変抵抗（図示しない）の接点位置すなわち抵抗値を変化させることができる。
【００２１】
連結部４６には、軸受部２０に回動自在に保持される揺動軸５０が固着されており、揺動軸５０を中心として連結部４６すなわちハンドル本体４０を、揺動口２５の範囲内で揺動させることができる。また、ラッチ用突起４８の先端は、ラッチばね３６の凹部３２ａ、３２ｂの形状に整合する形状で、図示のように凹部３２ａ（３２ｂ）にはまりこむことができる。なお、下部前板１２には、揺動軸５０を軸受部２０に挿通する際に、揺動軸５０の通り道となる挿通用溝２１が設けられている。
【００２２】
さて、図２に示されるように、回動操作部４４の芯Ｃと下部前板１２すなわち図示しない弾球遊技機本体との交差角度がほぼ直角の場合に、遊技者が例えば握部４２を持って、図２における反時計回り方向に揺動させる力を及ぼせば、ハンドル本体４０が揺動軸５０中心にして揺動する。その際、ラッチ用突起４８の先端は、ラッチばね３６を弾性変形させ、凹部３２ａから山部３４を乗り越えるようにして凹部３２ｂに移動する。そして、ラッチ用突起４８の先端は凹部３２ｂにはまりこんでラッチばね３６の弾性力によって保持されるから、ハンドル本体４０を揺動させる力を解除しても、ハンドル本体４０は図３に示される位置にとどまる。また、ハンドル本体４０が図３に示される位置にあるときに、時計回り方向の力を及ぼせば、前述の場合とは逆に、図３の位置から図２の位置に移動させることができる。
【００２３】
このように、ハンドル本体４０を図２に示される位置と図３に示される位置との間で変位させることができる。また、そのハンドル本体４０の位置は、ラッチ用突起４８の先端によりラッチばね３６を弾性変形させる以上の力を加えない限り、ラッチばね３６の働きによって保持される。したがって、遊技者は、例えば握部４２を介してハンドル本体４０を揺動させ、回動操作部４４の芯Ｃと弾球遊技機本体との交差角度を、自分に適した交差角度にできる。よって、回動操作部４４を操作し易くなり、遊技者の疲労も軽減される。
【００２４】
また軸受部２０が下部前板１２（前面枠１０１）と一体成形されているので、軸受部２０の強度はきわめて高くたとえハンドル本体４０等に過大な荷重がかかっても破損するおそれはない。つまり、心ない遊技者がハンドル本体４０等に過大な力をかけて壊そうとしても、この操作ハンドル１０はそのような行為に耐えることができる。
【００２５】
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例の発射操作ハンドルを備える弾球遊技機の正面図である。
【図２】  実施例の発射操作ハンドルを弾球遊技機本体に直交させた状態の一部破断平面図である。
【図３】  実施例の発射操作ハンドルと弾球遊技機本体との交差角度を変えた状態の一部破断平面図である。
【図４】  実施例の発射操作ハンドルの前方上側からの斜視図である。
【図５】  実施例の発射操作ハンドルの後方下側からの斜視図である。
【符号の説明】
１０…発射装置操作ハンドル    １２…下部前板    １４…軸保持部材
１６…ラッチばね保持部材    １８…挿通部    ２０…軸受部
２２…空洞    ２４…貫通穴    ２５…揺動口    ２６…支持脚
２８…背部    ２９…突起揺動口    ３０…ビス保持部
３２ａ…凹部    ３２ｂ…凹部    ３４…山部
４０…ハンドル本体    ４２…握部    ４４…回動操作部
４６…連結部    ４８…ラッチ用突起    ５０…揺動軸      Ｃ…芯
１００…弾球遊技機
【図１】
0004174618.tif 000002
【図２】
0004174618.tif 000003
【図３】
0004174618.tif 000004
【図４】
0004174618.tif 000005
【図５】
0004174618.tif 000006